(57)【要約】【課題】ペットボトルに収納した飲料商品に一層販売促進が可能な景品を付属させる。【解決手段】飲料ボトルの開口の上面を覆う円板部と、円板部周縁から立ち下がってボトル開口部の上端部周面を覆うスカート部とを有してボトル開口を閉塞するキャップである。半導体メモリを含むＵＳＢメモリ本体部とＵＳＢ接続端子部とを有するＵＳＢメモリを備え、前記円板部の上面にＵＳＢメモリ本体部を収納可能なメモリ収納部を形成してこれにＵＳＢメモリ本体部を収納し、メモリ収納部から突出して垂直上方に立ち上がるようにＵＳＢ接続端子部を設ける。ＵＳＢ接続端子部を覆うカバー体を備えることが望ましい。このカバー体は、例えばＵＳＢ接続端子部が外部から透視できるよう透光性を有しかつメモリ収納部の上部に嵌合可能である。カバー体が動画作品のキャラクタを模った外形を有することがある。【選択図】図１
2007168894.tif 000002
【特許請求の範囲】
【請求項１】
飲料を収容するボトルの開口の上面を覆う円板部と、当該円板部の周縁部から立ち下がって当該ボトルの開口部の上端部周面を覆うスカート部とを有して当該ボトルの開口を閉塞するキャップであって、
半導体メモリを含むＵＳＢメモリ本体部とＵＳＢ接続端子部とを有するＵＳＢメモリを当該キャップに備え、
前記円板部の上面部に前記ＵＳＢメモリ本体部を収納可能なメモリ収納部を形成してこのメモリ収納部に前記ＵＳＢメモリ本体部を収納すると共に、
当該メモリ収納部から突出して略垂直上方に立ち上がるように前記ＵＳＢ接続端子部を設けた
ことを特徴とする飲料キャップ。
【請求項２】
前記ＵＳＢ接続端子部を覆うカバー体
を更に備えた請求項１に記載の飲料キャップ。
【請求項３】
前記カバー体は、
前記ＵＳＢ接続端子部が外部から透視できるよう透光性を有し、
前記メモリ収納部の上部に嵌合可能である
請求項２に記載の飲料キャップ。
【請求項４】
前記カバー体は、
動画作品のキャラクタを模った外形形状を有し、
前記ＵＳＢ接続端子部を差し込むことが可能である
請求項２に記載の飲料キャップ。
【請求項５】
請求項１から４のいずれか一項に記載の飲料キャップを備えた飲料ボトル。
【請求項６】
請求項５に記載の飲料ボトルに飲用物を収納すると共に、前記飲料キャップにより当該ボトルの開口を閉塞してなる飲料。
【発明の詳細な説明】
【技術分野】
【０００１】
本発明は、飲料キャップ、飲料ボトル及び飲料に係り、特にペットボトルなどの飲料容器を封止するキャップ構造に関する。
【背景技術】
【０００２】
近年、ペットボトルなどの樹脂容器に入れられた飲料が、スーパーマーケットやコンビニエンスストア等の店舗店頭に或いは自動販売機を通じて大量に供給され消費されている。
【０００３】
一方、このような飲料の更なる販売促進を図るため、飲料商品に景品（おまけ）を付けて販売されることがある。景品を付ける方法としては、例えばこれを袋に収納し、飲料ボトルの首に掛ける方法が採られることがある。
【０００４】
また、飲料ボトルに装着するキャップに付加的な構造を付与する考案を開示するものとして下記文献がある。
【特許文献１】実用新案登録第３１０１９２０号公報
【特許文献２】実用新案登録第３０９８０４２号公報
【発明の開示】
【発明が解決しようとする課題】
【０００５】
ところで、飲料ボトルに景品を付ける場合に当該飲料ボトルは、売場面積の効率的な利用を図る必要から店頭の陳列棚に隙間なく配列されることが多く、ボトルの外面に景品が突出していると邪魔になりやすい。
【０００６】
また、このように景品が付けられたボトルは、自動販売機に搬入することが一般に出来ない。ボトル側面から突出し或いはぶら下がった景品が自動販売機内の搬送経路上において障害となって商品が正常に搬出されず、自動販売機の故障の原因ともなるからである。
【０００７】
更に、従来から飲料商品に添付されている景品は、キャラクタ人形や小物雑貨などが殆どで斬新性を欠く面があり、より一層販売促進を図ることが出来る手段の提供が望まれる。
【０００８】
したがって、本発明の目的は、ボトルに収納された飲料商品に一層販売促進が可能な景品を付属させることを可能とするボトルキャップ構造を得る点にある。
【課題を解決するための手段】
【０００９】
前記課題を解決し目的を達成するため、本発明に係る飲料キャップは、飲料を収容するボトルの開口の上面を覆う円板部と、当該円板部の周縁部から立ち下がって当該ボトルの開口部の上端部周面を覆うスカート部とを有して当該ボトルの開口を閉塞するキャップであって、半導体メモリを含むＵＳＢメモリ本体部とＵＳＢ接続端子部とを有するＵＳＢメモリを当該キャップに備え、前記円板部の上面部に前記ＵＳＢメモリ本体部を収納可能なメモリ収納部を形成してこのメモリ収納部に前記ＵＳＢメモリ本体部を収納すると共に、当該メモリ収納部から突出して略垂直上方に立ち上がるように前記ＵＳＢ接続端子部を設けた。
【００１０】
本発明の飲料キャップは、ＵＳＢメモリを一体に備える。このＵＳＢメモリとは、ＵＳＢコネクタに接続して使用可能なフラッシュメモリ（半導体メモリ）を云う。ＵＳＢメモリには、例えば動画（映画、アニメーション、ライブ映像など）や静止画等の画像データ、音声（音楽）データ、ゲームにキャラクタやアイテム（武器や特典など）を追加するためのデータ、その他のテキストデータ、或いはプログラム（ゲームプログラムその他のプログラム）等を格納することができ、これら画像や音楽などを景品（おまけ）として当該飲料商品に付属させ提供することが可能となる。
【００１１】
上記ＵＳＢ接続端子部は、パーソナルコンピュータやモバイル端末、移動通信機器、ゲーム機などＵＳＢに準拠した各種電子機器のＵＳＢポートに差し込んで上記ＵＳＢメモリ本体部に対し情報（データやプログラム）の出し入れを行うものである。このＵＳＢ接続端子部は、メモリ収納部（飲料キャップ上面）から略垂直に立ち上がるように設けてある。したがって、例えば当該飲料キャップをボトルから取り外し（キャップを開け）、ＵＳＢポートに差し込むだけで容易に景品（画像や音楽・音声等）を楽しむことが出来る。
【００１２】
上記キャップには、上記ＵＳＢ接続端子部を覆うカバー体を設けることが望ましい。飲料の流通途上でＵＳＢ接続端子部が汚れ或いは損傷を受けることを防ぐためである。
【００１３】
このカバー体は、例えばＵＳＢ接続端子部が外部から透視できるよう透光性を有し、メモリ収納部の上部に嵌合可能に構成する。このようにカバー体を透光性を有するものとすれば、商品の購入者は当該景品がＵＳＢを使用して楽しむことが出来ることが一見して把握することが可能となる。
【００１４】
また、上記カバー体は、動画作品のキャラクタを模った外形形状を有しかつ上記ＵＳＢ接続端子部を差し込むことが出来るようにしても良い。このようなカバー体を付ければ、ＵＳＢ接続端子部を保護できるだけでなく、例えば当該ＵＳＢメモリに格納する画像や音声データと、カバー体に付与する容姿・形状を関連付けることで（例えばカバー体の外形形状を或る特定の映画に係る登場人物を模した容姿を有するものとし、ＵＳＢメモリには当該映画に関連した画像やゲームデータを格納しておく）、景品による販売促進効果をより一層向上させることが可能となる。
【００１５】
本発明に係る飲料ボトルは、上記いずれかの飲料キャップを備えたものである。また本発明に係る飲料は、上記飲料ボトルに飲用物を収納すると共に、上記本発明に係る飲料キャップにより当該ボトルの開口を閉塞してなる。
【００１６】
本発明に係る上記飲料ボトルないし飲料において、ボトルに入れる飲料の種類は特に問わない。ジュースやコーラ・茶・ミネラルウォータ・清涼飲料などのソフトドリンクでも良いし、アルコール飲料その他とすることも出来る。その他様々な飲用物を収納したものであって良い。ボトルの種類についても典型的にはペットボトルであるがこれに限られず、各種の樹脂材料や金属材料、ガラス等からなるボトルであっても構わない。キャップの材料についても、典型的には樹脂であるが、本発明はこれに限定されない。
【発明の効果】
【００１７】
本発明によれば、ボトルに収納された飲料商品に一層販売促進が可能な景品を付属させることが出来る。
【００１８】
本発明の他の目的、特徴および利点は、以下の本発明の実施の形態の説明により明らかにする。尚、本発明は下記の実施形態に限定されるものではなく、特許請求の範囲に記載の範囲内で種々の変更を行うことができることは当業者に明らかである。また、各図中、同一の符号は、同一又は相当部分を示す。
【発明を実施するための最良の形態】
【００１９】
〔第１実施形態〕
図１から図３は、本発明の第一の実施の形態に係る飲料キャップを示すものである。これらの図に示すようにこの飲料キャップ１１は、ペットボトル１の開口部にねじ込んで装着され、当該ボトル１を密閉する樹脂製のスクリューキャップであって、ペットボトル１の開口部にねじ込まれるキャップ本体１２と、ペットボトル１の開口部の周囲を取り囲むように当該ペットボトル１に装着されかつ前記キャップ本体１２と切り離し可能に連結されている封止リング１３と、ＵＳＢメモリ２１（図２，３参照）と、キャップ本体１２の上面部に被せるカバー２５とを有する。
【００２０】
キャップ本体１２は、ボトル１の開口部上面を覆う円板部１２ａと、この円板部１２ａの周縁から略垂直に立ち下がってボトル開口部の周囲を覆う周壁部（スカート部）１２ｂとを有し、円板部１２ａの上面側には、ＵＳＢメモリ２１（後述するＵＳＢメモリ本体部２２）を収納するためのメモリ収納部１５を形成してある。このメモリ収納部１５は、上記キャップ本体１２の円板部１２ａの周縁部から立ち上がる側壁１５ｂと、当該側壁１５ｂの上面部に設けられてメモリ収納部１５の上面を閉塞する天板１５ａとにより画成され、天板１５ａの中心部にはＵＳＢ端子部２３（後に述べる）の貫通を許容する開口１５ｃを設けてある。
【００２１】
ＵＳＢメモリ２１は、フラッシュメモリやＩＣ等の電子部品（図示せず）を基板に実装してなるＵＳＢメモリ本体部２２と、パーソナルコンピュータ等の各種電子機器のＵＳＢポートに接続して当該ＵＳＢ本体部２２に対する情報の入出力を行うためのＵＳＢ端子部２３とからなり、ＵＳＢ端子部２３はＵＳＢメモリ本体部２２（基板）に対し略垂直に立ち上がるように設けてある。ＵＳＢメモリ本体部２２は上記メモリ収納部１５に収納し、ＵＳＢ端子部２３は上記開口１５ｃを通って天板１５ａの上方に突出する。
【００２２】
キャップ本体１２の周壁部１２ｂとメモリ収納部１５の側壁１５ｂとの間には、キャップ本体１２の周壁部１２ｂよりメモリ収納部１５の側壁１５ｂの外周（外径）の方が小さくなるように段差部１４を形成し、この段差部１４にカバー２５が嵌合するようにしてある。より具体的には、メモリ収納部１５にカバー２５を被せると、カバー２５の下端部に側壁１５ｂが挿入され、カバー２５の下端が円板部１２ａの上面の周縁部に当接してカバー２５のメモリ収納部１５（キャップ本体１２）への嵌合が達成される。
【００２３】
カバー２５は、無底有蓋の円筒状の全体形状を有し、透明で内部（ＵＳＢ端子部２３）が透けて見えるようにしてある。ＵＳＢメモリ２１が付属されていることが当該飲料商品の購入者に一見して分かるようするためである。尚、カバー２５の形状は、この例のほかにも様々な形状とすることが出来る。
【００２４】
また、メモリ収納部１５（又はキャップ本体１２）へのカバー２５の係止構造は、上記のように単純に被せる構造のほか、図４に示すようにメモリ収納部１５（又はキャップ本体１２）の外周面に雄ネジ１６を形成すると共に、この雄ネジ１６に螺合する雌ネジ（図示せず）をカバー２５の下端部内周面に形成することでスクリュー式（ねじ込み式）の係止構造とすることも出来る。このようにネジによる係止構造とすれば、当該飲料商品の流通途上で（例えば自動販売機内で或いは店頭への陳列時等に）カバーが不用意に外れることを防ぐことが出来る。また、当該係止構造は、凸条や突起を一方に設けると共に他方にこれらと係合する溝や穴を設けるなど、様々な構造をとることが可能である。
【００２５】
ＵＳＢメモリ２１を使用するには、飲料キャップ１１をボトル１から外すと共に（或いはボトル１に付けたままでも可能）カバー２５を取り外し、ＵＳＢ端子部２３を対象機器のＵＳＢポートに差し込めば良い。尚、飲料キャップ１１をボトル１から外す（キャップ１１を開ける）には、従来のこの種のスクリューキャップと同様に、キャップ本体１２を回転させることにより当該キャップ本体１２を封止リング１３からねじ切って分離することにより行えば良い。
【００２６】
カバー２５（例えば上面）には、二次元コード（例えばＱＲコード）を設けても良い。この二次元コードには、例えば当該飲料キャップ１１に備えたＵＳＢメモリ２１の使い方やＵＳＢメモリ２１内に格納したデータの説明等をコード化して含ませることが出来る。また、当該飲料の景品（おまけ）として、例えば映画やライブ映像、携帯電話機の画面に表示させる所謂待ち受け画像、その他の各種の動画像・静止画像をＵＳＢメモリ２１に格納して提供するキャンペーンを実施する場合に、当該キャンペーンの説明を二次元コード化して設けることも可能である。カバー２５への二次元コードの具体的配設方法は、例えば紙や樹脂フィルム等に二次元コードを印刷してこれをカバー２５に貼り付けることにより行うことが出来る。
【００２７】
〔第２実施形態〕
図５は本発明の第二の実施の形態に係る飲料キャップを示すものである。同図に示すようにこの飲料キャップは、前記第一実施形態に係るキャップと同様にＵＳＢメモリを備えるものであるが、ＵＳＢ端子部２３に被せるカバーとして、例えば映画や劇画のキャラクタを模った外形形状を有するカバー２６（以下、キャラクタカバーと称する）を設けたものである。
【００２８】
キャラクタカバー２６は、その底面側にＵＳＢ端子部２３の挿入を許容する穴２７を備えており、この穴２７内にＵＳＢ端子部２３を差し込むことにより、当該ＵＳＢ端子部２３に装着することを可能としてある。キャラクタカバー２６の外形形状は、各種のものであって良く、例えば人間（人形）に限らず、動物や植物、鉱物、自然物、建物、建造物、ロボット、サイボーグ・地球外生命体などの想像上の生物その他、様々なものを模ったものとすることが出来る。
【図面の簡単な説明】
【００２９】
【図１】本発明の第一の実施形態に係る飲料キャップを示す斜視図である。
【図２】前記第一実施形態に係る飲料キャップの内部（メモリ収納部の天板と側壁を取り除いた状態）を示す斜視図である。
【図３】前記第一実施形態の飲料キャップの垂直断面図である。
【図４】前記第一実施形態の飲料キャップの変形例を示す図である。
【図５】本発明の第二の実施形態に係る飲料キャップを示す斜視図である。
【符号の説明】
【００３０】
１  飲料ペットボトル
１１  飲料キャップ
１２  キャップ本体
１２ａ  円板部
１２ｂ  周壁部（スカート部）
１３  封止リング
１５  メモリ収納部
１５ａ  天板
１５ｂ  側壁
１５ｃ  開口
１６  ネジ
２１  ＵＳＢメモリ
２２  ＵＳＢメモリ本体部
２３  ＵＳＢ端子部２３
２５  カバー
２６  カバー（キャラクタ型カバー）
２７  ＵＳＢ端子部収納用穴
【図１】
2007168894.tif 000003
【図２】
2007168894.tif 000004
【図３】
2007168894.tif 000005
【図４】
2007168894.tif 000006
【図５】
2007168894.tif 000007